(57)【要約】【課題】ＬＥＤの焦点を任意の位置に移動できるようにして使い勝手を向上させたＬＥＤ配列型照明器を提供する。【解決手段】一対のＬＥＤ３を取り付けた取付台４は、各フレーム５の大溝５ａを形成するフランジ５ｂの一方側面５ｂ２に当接して配列され、各フレーム５の小溝５ｃに緩挿されプレート金具１１によって抜け止めされたワイヤー状部材８がこの取付台４の横孔９に挿通され、この取付台４の縦孔１０に挿入される止めピンにより当該ワイヤー状部材８に固定される。これらワイヤー状部材８は、その一方端が各回転継手１２に挿入されて止めピン１３により固定される一方、各回転継手１２は、大操作棒１４の端板１４ｂに適宜に嵌め込まれ、小操作棒１５の有底穴１５ｂ１に挿入されて当該小操作棒１５に固定される。これにより、小操作棒１５を適宜な方向に回転させると、ワイヤー状部材８が供回りし、取付台４が回転してＬＥＤ３が回転する。【選択図】  図３
2004288474.tif 000002
【特許請求の範囲】
【請求項１】
複数のＬＥＤが円弧上に適宜な間隔で、且つ、同心円上に複数列をなして配列されたフレームを円周上に複数個並べ、これらＬＥＤが、各フレームごとに、または各フレームを一連のフレームにして回転可能に配設されてなることを特徴とするＬＥＤ配列型照明器。
【請求項２】
フレームに複数のＬＥＤが円周上に適宜な間隔で、且つ、同心円上に複数列をなして配設されるとともに、該複数列中の一つの列内のＬＥＤの光線軸と他の列内のＬＥＤの光線軸とが互いに異なる焦点をそれぞれ形成し、これら複数列から択一的に選択された列の前記ＬＥＤを点灯させることを特徴とするＬＥＤ配列型照明器。
【請求項３】
前記フレームにワイヤー状部材を回転可能に支持し、このワイヤー状部材に、前記ＬＥＤが前記配列をなすように当該ＬＥＤを取り付けた複数の取付台を前記フレームに沿って固定し、前記ワイヤー状部材を円筒軸に固定するとともに、該円筒軸を任意の回転角度で保持可能に軸支してなることを特徴とする請求項１に記載のＬＥＤ配列型照明器。
【請求項４】
前記フレームが配設されたケースは、任意の方向に傾斜可能に、且つ、この傾斜位置で静止可能に取り付けられてなることを特徴とする請求項１〜３のいずれかに記載のＬＥＤ配列型照明器。
【請求項５】
前記ケースの上面側に拡大鏡を配設し、該拡大鏡を前記ケースに対し傾斜可能に、且つ、この傾斜位置で静止可能にしてなることを特徴とする請求項１〜４のいずれかに記載のＬＥＤ配列型照明器。
【発明の詳細な説明】
【０００１】
【発明が属する技術分野】
本発明は、医療用のみならず、精密機械や電子部品などの計測や検査用に適するＬＥＤ（発光ダイオード）配列型照明器に関する。
【０００２】
【従来の技術】
ＬＥＤ配列型照明器は、ＬＥＤの利点、即ち、省電力で発熱が少なく、しかも光の照射に指向性があって拡散が小さいという特徴に着眼し、このようなＬＥＤが円周上に、且つ、同心円上に複数列をなして配設されるようにしたもので、この種の照明器は従来からある（例えば、特許文献１）。
かかる特許文献１に開示の照明器は、図７（Ａ）に示すように、レンズハウジング１０１及び、これを環状に囲む円盤状のランプ支持ハウジング１０２で構成される表面照明器１００で、上記ハウジング１０２の下面側に多数のランプ（ＬＥＤ）１０３が装架され、これらランプ１０３は、同図（Ｂ）に示すように、ハウジング１０２の中心から半径Ｒ１〜Ｒ５の円周上に５列をなして配設されるとともに、円周上等間隔に符号Ｓ１〜Ｓ８で示される８つの区域に区画されている。そして、５列をなすランプ１０３は、同図（Ａ）に示すように、それらの光線軸が各列ごとにハウジング１０２の中心線に対し所定角度をなすように配設され、これら光線軸が交わるところ、即ち、焦点は、常に作業台１０４上に載置された検査対象物１０５の定位置に決められている。このような構成に係る表面照明器１００では、Ｓ１〜Ｓ８で示される８つの区域ごとに、且つ、５つの列ごとに電気的に選択してランプ１０３を点灯させることができる。
【０００３】
【特許文献１】
特開平１０−５４９４０号公報（第３〜４頁、図１，２）
【０００４】
【発明が解決しようとする課題】
しかしながら、上述の表面照明器は、点灯させるランプを電気的に選択して検査対象物に対する照明の明暗を変えたり、異なる方向から照明できるようになっているが、各ランプがランプ支持ハウジングに所定方向を向いて固定されているためランプの向きを変えることができず、したがって、これらランプの焦点が定位置に決められてしまう。このために、検査対象物に対する焦点がずれている場合には、例えばランプ支持ハウジングや作業台などを上下に移動させて当該焦点を合わせなければならず、使い勝手が悪く利便性に欠けるところがある。
【０００５】
本発明の目的は、ＬＥＤの焦点を任意の位置或いは予め決められた焦点位置に移動できるようにして使い勝手を向上させたＬＥＤ配列型照明器を提供することにある。
【０００６】
【課題を解決するための手段】
上記課題を解決するために、本発明の請求項１に係るＬＥＤ型照明器は、複数のＬＥＤが円弧上に適宜な間隔で、且つ、同心円上に複数列をなして配列されたフレームを円周上に複数個並べ、これらＬＥＤが、各フレームごとに、または各フレームを一連のフレームにして回転可能に配設されるようにしたもので、ＬＥＤ自体を機械的に回転可能なように配設することにより、ＬＥＤの焦点を任意の位置に移動できるようになって使い勝手が向上する。
【０００７】
本発明の請求項２に係るＬＥＤ型照明器は、フレームに複数のＬＥＤが円周上に適宜な間隔で、且つ、同心円上に複数列をなして配設されるとともに、これら複数列中の一つの列内のＬＥＤの光線軸と他の列内のＬＥＤの光線軸とが互いに異なる焦点をそれぞれ形成し、これら複数列から択一的に選択された列のＬＥＤを点灯させるようにしたもので、光線軸が互いに異なるＬＥＤを電気的に選択することにより、ＬＥＤの焦点を、例えばランプ支持ハウジングや作業台などを移動させることなく所定位置（予め決められた焦点位置）に移動できるので、焦点位置が予め決められているような場合には使い勝手がよいものとなる。
【０００８】
本発明の請求項３に係るＬＥＤ型照明器は、上記請求項１に係るＬＥＤ型照明器のより具体的な簡易な構成に係るもので、上記フレームにワイヤー状部材を回転可能に支持し、このワイヤー状部材に、ＬＥＤが上述のような配列をなすように当該ＬＥＤを取り付けた複数の取付台をフレームに沿って固定し、ワイヤー状部材を円筒軸に固定するとともに、この円筒軸を任意の回転角度で保持可能に軸支するようにしたものである。
【０００９】
また、本発明の請求項４に係るＬＥＤ型照明器は、フレームが配設されたケースを、任意の方向に傾斜可能に、且つ、この傾斜位置で静止可能に取り付けて、本ＬＥＤ型照明器の使い勝手を向上させたものである。
【００１０】
また、本発明の請求項５に係るＬＥＤ型照明器は、ケースの上面側に拡大鏡を取り付け、この拡大鏡のアームを所定角度に回転して位置決めできるようにしたもので、照明を当てた対象物を拡大する必要性が生じた場合の利便性を向上させたものである。
【００１１】
【発明の実施の形態】
本発明の第１の実施の形態に係るＬＥＤ型照明器を図１〜４を参照して説明する。
最初に、本ＬＥＤ型照明器の外観構成を図１，２を参照して説明する。
本ＬＥＤ型照明器１は、ケース２がＣ字状の円弧形態をなし、このケース２の、下方を向いた開口口を有する横断面略コ字形状のケース本体内にはフレーム５が収容され、このフレーム５には、後に詳述するように、ＬＥＤ３が取り付けられた取付台４を、当該ＬＥＤ３が下記配列をなすように配置してなり、かかるケース２が、本実施の形態では、そのＣ字状円弧の上面中央位置で、後に詳述するように、当該ケース２を任意の方向に自在に傾斜可能に、且つ、この傾斜位置で静止可能にするボールジョイント機構６を介して張出パイプ３０の一方端に取り付けられている。尚、図１中の７は、ケース本体の開口口に取り付けられた透明カバーである。
【００１２】
そして、本ＬＥＤ型照明器１においては、上記張出パイプ３０の他方端がパイプ角度調整用ヒンジ３１の一方の開口口に嵌入される一方、パイプ角度調整用ヒンジ３１の他方の開口口に伸縮パイプ３２の一方端が嵌入されている。かかるパイプ角度調整用ヒンジ３１は、伸縮パイプ３２に対する張出パイプ３０の角度を調整することができる、例えば公知のインデックスヒンジと称されるものであり、３１ａは、この調整のための操作ボタンである（図１では、略９０゜に調整されているところが図示されている）。上記伸縮パイプ３２は、継手３３を介して支柱３４に図１中の矢印方向に伸縮可能に取り付けられている。尚、３５は、伸縮パイプ３２の他方端を支柱３４に固定するためのロックネジであり、また、３６は、伸縮パイプ３２の、支柱３４に対する回転止めのためのロックネジである。上記支柱３４は、キャスター３７が装着された脚３８に固定されている。ところで、本ＬＥＤ型照明器１では、支柱３４の下方にはＬＥＤ用電源ボックス３９が取り付けられ、この電源ボックス３９の電源スィッチ３９ａをＯＮ−ＯＦＦさせてＬＥＤ３を点灯・消灯させる。尚、４０は、上記ＬＥＤ用電源と接続する電源コードであり、また、４１は、コンセントである。
【００１３】
このような外観構成をなす本ＬＥＤ型照明器１におけるＬＥＤ３の回転機構につき図３を参照して説明する。本実施の形態では、ケース本体内に、図１に示すような態様で当該ケース２のＣ字状円弧の中央位置で左右対称に、上記フレーム５がそれぞれ収容され、これらフレーム５を一連のフレームにして、これらフレーム５に配列されたＬＥＤ３が一度に機械的に回転するようになっている。ここでは、図１，２及び図３中の右側のフレーム５に関し説明するが、左側のフレーム５に関しても同様である。
【００１４】
図３に示すように、フレーム５は、略半円弧状の薄板部材にＵ字状の大溝５ａが、円周に沿って等間隔に、且つ、外周に向かって開口する態様で設けられ、これら大溝５ａを形成するフランジ５ｂの一方端面（ケース本体の開口口側に向いた面とは反対側の面）５ｂ１側には、ワイヤー状部材８が緩挿される小溝５ｃが設けられている。
また、上記取付台４は、本実施の形態では、横部材４ａと縦部材４ｂでＴ字状の形態をなす部材で構成され、この横部材４ａに上記ＬＥＤ３のリード線を配した一対の当該ＬＥＤ３が、この縦部材４ｂを対称にして横部材４ａからそれぞれ垂れ下げられる態様にして取り付けられ、更に、この取付台４には、その略中央にワイヤー状部材８が緩挿される横孔９が設けられるとともに、横部材４ａの上面中心から上記横孔９に垂直に交叉する態様で縦孔１０が設けられている。
そして、これら取付台４は、フレーム５の大溝５ａを形成するフランジ５ｂの一方側面５ｂ２に当接して配列される一方、当該取付台４の横孔９には、フレーム５の小溝５ｃに緩挿されプレート金具１１によって抜け止めされたワイヤー状部材８が挿通され、当該取付台４の縦孔１０に挿入される止めピンによって当該ワイヤー状部材８に固定される。このワイヤー状部材８の一方端が回転継手（円筒軸）１２の中心軸に挿入され、この回転継手１２に止めピン１３により固定される。このような構成は、左側のフレーム５に関しても同様である。
【００１５】
したがって、本実施の形態でのＬＥＤ３の配列は、ケース本体内に、複数のＬＥＤが円弧上に適宜な間隔（フランジ５ｂ間の間隔）で、且つ、同心円上に２列をなして配列された各フレーム５を上述のように収容することにより形成される。
【００１６】
しかるに、右側のフレーム５に配されるワイヤー状部材８の回転継手１２及び左側のフレーム５に配されるワイヤー状部材８の回転継手１２は、図３に示すように、大操作棒１４の両端板（ケース２の側板を兼ねる）１４ｂに設けられた軸受穴１４ｂ１に適宜な嵌め合い公差でそれぞれ嵌め込まれるとともに、小操作棒１５の両端板１５ｂに設けられた有底穴１５ｂ１にそれぞれ挿入される。即ち、大操作棒１４は、台板１４ａと、この台板１４ａの両端にそれぞれ立設された端板１４ｂと、当該台板１４ａの中央に、上記端板１４ｂの立設側とは反対側に突設された軸棒１４ｃとで略ヨーク形状をなす部材であり、小操作棒１５もまた、大操作棒１４と類似する略ヨーク形状をなす部材で、台板１５ａと、この台板１５ａの両端にそれぞれ立設された端板１５ｂと、当該台板１５ａの中央に、上記端板１５ｂの立設側とは反対側に突設された摘み部１５ｃ１を有する軸棒１５ｃとで構成されている。そして、上記各回転継手１２が、軸受穴１４ｂ１に適宜な嵌め合い公差でそれぞれ嵌め込まれるとともに、両端板１５ｂに設けられた有底穴１５ｂ１にそれぞれ挿入され、当該回転継手１２の端面に設けられた小孔１２ａと、この小孔１２ａに連通した、有底穴１５ｂ１の穴底の小孔１５ｂ２とに打ち込まれる止めピンによって小操作棒１５に固定される。このような小操作棒１５は、大操作棒１４の台板１４ａ上方で、且つ、当該大操作棒１４の両端板１４ｂ間に位置して配されるとともに、当該小操作棒１５の軸棒１５ｃが、大操作棒１４の台板１４ａを貫通して当該大操作棒１４の軸棒１４ｃの略中央部に達するところに設けられたスリット１４ｄ内に配され、かかるスリット１４ｄから軸棒１５ｃの摘み部１５ｃ１が突出するように配されている。後述するように、これら大操作棒１４及び小操作棒１５は、それぞれ独立に操作できることはもちろんである。
尚、ワイヤー状部材８の他方端は、所謂自由端となっている。
【００１７】
次に、フレーム５が配設されたケース２を任意の方向に自在に傾斜可能に、且つ、この傾斜位置で静止可能にするボールジョイント機構６について図４を参照して説明する。尚、図４中、図１〜３と同一部材には同一番号を付し、その説明は割愛する。
本ボールジョイント機構６は、ボールジョイント１６と、このボールジョイント１６の球体部１６ａが挿入される略立方体形状の軸受１７と、この軸受１７に、上記球体部１６ａに対向する態様でその球体部１８ａが挿入されるボールジョイント１８と、このボールジョイント１８の長寸の円柱部１８ｂに、当該円柱部１８ａの中心軸に直交する態様で嵌入された円筒状の連結材１９と、この連結材１９の片側端面にその短寸の円柱部２０ｂが接合する、上記ボールジョイント１６と同一形状のボールジョイント２０と、このボールジョイント２０の球体部２０ａが挿入される略直方体形状の軸受２１とで構成されている。そして、ボールジョイント１６の短寸の円柱部１６ｂが、ケース２のＣ字状円弧の側面中央位置で当該ケース２に嵌入される一方、軸受２１の、上記球体部２０ａの挿入穴に対向し、且つ、当該軸受２１の、一対の両側面を貫通する位置に設けられた貫通穴２１ａに上記張出パイプ３０の一方端が嵌装される。
【００１８】
ところで、軸受１７には、ボールジョイント１６の球体部１６ａの挿入部位とボールジョイント１８の球体部１８ａの挿入部位との略中央位置にスリット１７ａが設けられる一方、このスリット１７ａに直交する態様で、球体部１６ａの挿入部位及び球体部１８ａの挿入部位にスリット１７ｂ，１７ｃがそれぞれ設けられている。更に、この軸受１７には、スリット１７ｂ，１７ｃの隙間を調整可能なようにするためのスプリング２２付き調整ネジ２３が螺合するネジ孔１７ｄ，１７ｅがそれぞれ螺刻されている。したがって、調整ネジ２３を進退させることにより、軸受１７とボールジョイント１６との嵌め合い状態及び軸受１７とボールジョイント１８との嵌め合い状態を調整することができる。また、軸受２１には、球体部２０ａの挿入部位に上記貫通穴２１ａに平行する態様でスリット２１ｂが設けられ、このスリット２１ｂの隙間を調整可能なようにするための、上述したのと同様なスプリング２２付き調整ネジ２３が螺合するネジ孔２１ｃが螺刻されている。したがって、調整ネジ２３を進退させることにより、軸受２１とボールジョイント２０との嵌め合い状態を調整することができる。
【００１９】
更に、本ＬＥＤ型照明器１には、図１，２に示すように、ケース２の上面側に拡大鏡２５が配設されるようになっており、拡大鏡２５の外周端縁の所定位置（ケース２のＣ字状円弧の上面中央線上の位置）に、短板２６ａ、連結板２６ｂ及び長板２６ｃで構成される略「し」字型アーム２６の、上記短板２６ａの一端がトルクヒンジ２７を介して取り付けられ、このアーム２６の長板２６ｃがケース２のＣ字状円弧の側面中央位置に止めネジにより取り付けられている。これにより、拡大鏡２５をトルクヒンジ２７を介して所定角度に回転させることができ、且つ、当該回転位置で静止させることができる。
【００２０】
本ＬＥＤ型照明器１の使い方を説明する。
本ＬＥＤ型照明器１では、一対のフレーム５にそれぞれ配列された上記ＬＥＤ３が、一度に回転するようになっている。したがって、各ＬＥＤ３の焦点を、例えば図１の焦点位置Ｐに合わせる場合には、小操作棒１５を適宜な方向に回転操作すると、当該小操作棒１５の回転に伴ってワイヤー状部材８が供回りし、ＬＥＤ３が取り付けられた各フレーム５の取付台４が一体となって回転するので、各フレーム５のＬＥＤ３を上記焦点位置Ｐに合わせることができる。
また、焦点位置Ｐを焦点位置Ｑに移動させる場合には、小操作棒１５を適宜な方向に回転操作し、各フレーム５のＬＥＤ３を焦点位置Ｑに合せればよく、極めて容易に焦点移動を行うことができるので、使い勝手が従来に比べ格段によくなる。
【００２１】
また、本ＬＥＤ型照明器１は、上述のように、ケース２がボールジョイント機構６を介して張出パイプ３０に取り付けられ、かかるボールジョイント機構６によって、ケース２がボールジョイント１６を介して軸受１７に対し、また、軸受１７がボールジョイント１８，２０を介して軸受２１、即ち張出パイプ３０に対し任意の方向に傾斜可能に、且つ、この傾斜位置で静止可能になっているために、大操作棒１４を適宜に操作すれば、ケース２を張出パイプ３０に対し３次元空間内の任意の方向に自在に傾斜可能に、且つ、この傾斜位置で静止可能にでき、使い勝手が向上する。
更に、本ＬＥＤ型照明器１では、上述のように、拡大鏡２５が配設されており、かかる拡大鏡２５を所定角度に回転させ、且つ、当該回転位置で静止させることができるので、対象物を拡大する必要性が生じた場合に使い勝手が向上する。
【００２２】
ところで、本実施の形態では、ケース本体内に、図１に示すような態様で当該ケース２のＣ字状円弧の中央位置で左右対称に、上記フレーム５がそれぞれ収容され、これらフレーム５を一連のフレームにして、これらフレーム５に配列されたＬＥＤ３が一度に回転する場合について説明したが、ＬＥＤ３によって照明される対象物を見易くするために、上記同様にケース２をＣ字状の円弧形態とし、当該Ｃ字状円弧の中央位置で左右対称にフレーム５を収納して各フレーム５ごとにＬＥＤ３を回転させるようにしてもよい。この場合には、図５のように、各フレーム５ごとに、上記回転継手１２を、ケース２の側板を兼ねる略矩形状の端板３２に設けられた軸受穴３２ａに適宜な嵌め合い公差で嵌め込むとともに、細長の略矩形棒状レバー３３の有底穴３３ａに挿入する。そして、回転継手１２を、当該回転継手１２の端面に設けられた小孔１２ａと、この小孔１２ａに連通した、有底穴３３ａの穴底の小孔３３ｂとに打ち込まれる止めピンによって当該レバー３３に固定すればよい。このような各フレーム５ごとに設けられたレバー３３を回転操作することにより、各フレーム５にそれぞれ配列された上記ＬＥＤ３が、各フレーム５ごとに回転可能になることは言うまでもない。尚、図５中、図３と同一部材には同一番号を付し、その説明は割愛する。
【００２３】
次に、本発明の第２の実施の形態に係るＬＥＤ型照明器を図６を参照して説明する。尚、図６において、図１〜５中の構成部材と同一の部材には、同一番号を付しその説明は割愛する。また、図６においては、ケース５１の取付部材等は省略されている。
本ＬＥＤ型照明器５０は、ケース５１が、上記ケース２と同様なＣ字状の円弧形態をなし、そのケース本体が、下方を向いた開口口を有する横断面略逆「し」字形状をなすもので、フレーム５２が、このケース本体内の開口口を塞ぐ態様で当該ケース５１に沿って配設されるとともに、複数のＬＥＤ３が、このフレーム５２の円周に沿って適宜な間隔で、且つ、同心円上に３列をなして配設されるものである。そして、このフレーム５２に配設されるＬＥＤ３は全て、当該フレーム５２に形成されたスリット５２ａ〜５２ｃ内に固定され、本実施の形態の場合、これらスリット５２ａ〜５２ｃのうちの最内側に位置する列のスリット５２ａは、ケース本体５１の水平面に対し角度５６゜に傾斜し、また、中間に位置する列のスリット５２ｂは、角度６４゜に傾斜し、更に、最外側に位置する列のスリット５２ｃは、角度６８．６゜に傾斜して固定されており、したがって、図６に示すように、これら３列中の一つの列内のＬＥＤ３の光線軸と他の列内のＬＥＤ３の光線軸とが互いに異なる焦点をそれぞれ形成することになる。
このようなＬＥＤ型照明器５０においては、例えば電気的な手段を用いてこれら３列から択一的に選択された列のＬＥＤ３を点灯させれば、ＬＥＤ３の焦点が所定位置に移動するので、焦点位置Ｒ，Ｓ，Ｔが予め決められているような場合には、使い勝手がよいものとなる。
【００２４】
【発明の効果】
本発明のＬＥＤ型照明器によれば、ＬＥＤの焦点を簡易方法で移動させて使い勝手の向上が図れる。
【図面の簡単な説明】
【図１】本発明の第１の実施の形態に係るＬＥＤ型照明器の外観構成図である。
【図２】図１のＡ矢視図である。
【図３】図１の照明器におけるＬＥＤの回転機構の説明図である。
【図４】図１の照明器におけるケースの傾斜機構の説明図である。
【図５】フレームごとの回転方式を採った回転機構の説明図である。
【図６】本発明の第２の実施の形態に係るＬＥＤ型照明器の概略構成図である。
【図７】従来のＬＥＤ型照明器の構成図である。
【符号の説明】
１，５０        ＬＥＤ型照明器
２，５１        ケース
３              ＬＥＤ
４              取付台
５，５２        フレーム
８              ワイヤー状部材
１２            回転継手（円筒軸）
３０            拡大鏡
【図１】
2004288474.tif 000003
【図２】
2004288474.tif 000004
【図３】
2004288474.tif 000005
【図４】
2004288474.tif 000006
【図５】
2004288474.tif 000007
【図６】
2004288474.tif 000008
【図７】
2004288474.tif 000009